(57)【要約】【課題】衝撃等が負荷されても妄りにチェーン状拘束体の係止解除が発生することのないようにして、動作信頼性を向上させることを目的とする。【解決手段】チェーン状拘束体１の先端に形成される錠挿入部２を挿入するチェーン挿入孔３と、  チェーン挿入孔３に挿入された錠挿入部２に形成される係止凹部４に係止部５が係止する係止回転位置と錠挿入部２の挿入方向に回転して係止部５がチェーン挿入孔３から退避する係止解除回転位置との間で回転可能で、かつ、係止回転位置側に付勢されるロックピース６とを有し、  前記ロックピース６の回転中心が重心位置にほぼ一致するように構成する。【選択図】  図３
2006138173.tif 000002
【特許請求の範囲】
【請求項１】
チェーン状拘束体の先端に形成される錠挿入部を挿入するチェーン挿入孔と、
チェーン挿入孔に挿入された錠挿入部に形成される係止凹部に係止部が係止する係止回転位置と錠挿入部の挿入方向に回転して係止部がチェーン挿入孔から退避する係止解除回転位置との間で回転可能で、かつ、係止回転位置側に付勢されるロックピースとを有し、
前記ロックピースの回転中心が重心位置にほぼ一致するチェーン用錠装置。
【請求項２】
真正な解錠キーによって施錠回転位置から解錠回転位置までの操作が可能なプラグと、
プラグの解錠回転位置側への操作により前記ロックピースを係止解除回転位置側に操作する駆動部材とを有し、
前記チェーン挿入孔は、プラグの側方で、該プラグに対して交差角９０°で立体的に交差して配置される請求項１記載のチェーン用錠装置。
【請求項３】
前記チェーン挿入孔の２個が背向位置に一直線状に並べて配置されるとともに、プラグは施錠回転位置に対して反対方向二位置に解錠回転位置を有し、
前記駆動部材は、プラグの施錠回転方向に対応するいずれか一のロックピースを係止解除回転位置に駆動する請求項２記載のチェーン用錠装置。
【請求項４】
前記チェーン挿入孔の対がプラグの中心を挟んで対称位置に２列設けられる請求項３記載のチェーン用錠装置。
【発明の詳細な説明】
【技術分野】
【０００１】
本発明は、チェーン用錠装置に関するものである。
【背景技術】
【０００２】
チェーン状拘束体の端部を固定してチェーンのループ形状を保持するためのチェーン用錠装置としては、特許文献１記載のものが知られている。この従来例において、チェーン用錠装置には一端に係止溝を備えたチェーン状拘束体の他端が脱離不能に連結される。チェーン用錠装置には移動係止部が配置され、この移動係止部をチェーン状拘束体の一端の係止溝に係止させることによってチェーン状拘束体のループ形状が保持される。移動係止部は付勢ばねによって係止溝との係止方向に付勢されており、チェーン状拘束体の一端を挿入するだけで移動係止部は係止溝に弾発係止する。
【０００３】
係止溝と移動係止部との係止解除は、チェーン用錠装置に設けられるシリンダ錠を解錠方向に回転操作することにより行われ、シリンダ錠への解錠操作により移動係止部は付勢ばねの付勢力に抗して係止解除位置まで移動する。シリンダ錠が施錠状態の場合、移動係止部の移動はシリンダ錠により規制されることがないために、予めシリンダ錠を施錠状態にしておくと、解錠キーを操作することなくチェーン状拘束体の一端をチェーン用錠装置に挿入するだけで施錠操作を完了させることができる。
【特許文献１】特開平７-１８０４１８号公報
【発明の開示】
【発明が解決しようとする課題】
【０００４】
しかし、上述した従来例は、施錠状態での移動係止部と係止溝との係止状態を、付勢ばねの付勢力によってのみ保持するために、施錠動作の信頼性に欠けるという問題がある。すなわち、施錠状態でチェーン用錠装置に衝撃を加えると、移動係止部が慣性により係止溝との係止解除位置に移動する可能性があり、移動係止部の係止解除位置への移動が生じた際にチェーン状拘束体が抜去方向に引っ張られると、チェーン用錠装置が施錠状態であってもループ形状が解除されてしまうことがある。
【０００５】
本発明は、以上の欠点を解消すべくなされたものであって、衝撃等が負荷されても妄りにチェーン状拘束体の係止解除が発生することのないようにして、動作信頼性を向上させたチェーン用錠装置の提供を目的とする。
【課題を解決するための手段】
【０００６】
本発明によれば上記目的は、
チェーン状拘束体１の先端に形成される錠挿入部２を挿入するチェーン挿入孔３と、
チェーン挿入孔３に挿入された錠挿入部２に形成される係止凹部４に係止部５が係止する係止回転位置と錠挿入部２の挿入方向に回転して係止部５がチェーン挿入孔３から退避する係止解除回転位置との間で回転可能で、かつ、係止回転位置側に付勢されるロックピース６とを有し、
前記ロックピース６の回転中心が重心位置にほぼ一致するチェーン用錠装置を提供することにより達成される。
【０００７】
チェーン状拘束体１は、鎖体、あるいは杆体を相互に回転自在に連結する等して、屈曲自在に形成され、その先端に錠挿入部２が設けられる。錠挿入部２には係止凹部４が設けられており、チェーン挿入孔３に錠挿入部２を挿入すると、ロックピース６は一旦係止解除回転位置側に回転して錠挿入部２をチェーン挿入孔３内に受容した後、係止凹部４が対応する位置において付勢力により再び係止回転位置側に復帰し、係止部５が係止凹部４に係止する。ロックピース６の係止解除回転位置方向は、チェーン挿入方向に一致し、施錠回転位置において、チェーン状拘束体１の抜去方向には回転できないために、係止部５と係止凹部４との係止状態は、チェーン状拘束体１の抜去により解除されることなく、双方の連結状態は維持される。
【０００８】
一方、ロックピース６は付勢力により係止回転位置に保持されるだけであるために、衝撃による慣性力が発生した場合、枢軸６ａ周りに回転トルクが発生して係止解除回転位置に回転する可能性がある。これに対し、ロックピース６の回転中心をロックピース６の重心位置にほぼ一致させている本発明においては、慣性力による回転トルクの発生がないか、微少であるために、衝撃による不用意な解錠動作が発生することなく、施錠の信頼性が向上する。
【０００９】
また、ロックピース６を解錠操作するプラグ７の側方にチェーン挿入孔３を配置すると、プラグ７の長手方向に対応する寸法を短くすることができ、装置の取り扱いが性が向上する。
【発明の効果】
【００１０】
本発明によれば、衝撃等が負荷されても妄りにチェーン状拘束体の係止解除が発生することがないために、動作信頼性を向上させることができる。
【発明を実施するための最良の形態】
【００１１】
図１ないし３に本発明の実施の形態を示す。まず、チェーン状拘束体１は、切断破壊等に十分な耐性をもった材料により屈曲可能に形成される一般部１ａの先端に錠挿入部２を形成して構成される。錠挿入部２には、外周を溝状に窪ませて係止凹部４が全周に渡って形成される。
【００１２】
この係止凹部４を係止してチェーン錠拘束体を連結する錠装置は、外郭部材９により覆われたハウジングに回転操作可能なプラグ７を保持して形成される。プラグ７はキー挿入孔７ａから挿入される真正な解錠キー（図示せず）によってのみ回転操作可能であり、図１（ｂ）に示す施錠回転位置に対して時計回りと反時計回りに９０°回転した位置に解錠回転位置が設定される。図２に示すように、プラグ７の終端には、プラグ７の回転中心（Ｃ）に対して偏心したカム突部７ｂが設けられ、後述する駆動部材８が連結される。
【００１３】
上記ハウジングにはチェーン挿入孔３が開設される。図２に示すように、チェーン挿入孔３は、プラグ７の長手方向（深さ方向）の寸法を短寸にするために、プラグ７の側方に配置される。このチェーン挿入孔３は、図２、３に示すように、プラグ７を挟んで線対称位置に配置される２本の平行なチェーン挿通線（Ｌｃ）上に２個が配置され、図３（ａ）に示すように、各々がハウジングの側壁に開口される。
【００１４】
図３（ａ）に示すように、各チェーン挿入孔３の近傍にはロックピース６が配置される。ロックピース６は、プラグ７の中心軸（Ｃ）とチェーン挿通線（Ｌｃ）に対してねじれの位置にあり、かつ、これらと交差角９０°で立体的に交差する枢軸６ａ回りに回転自在に枢支される。各ロックピース６は、衝撃付与時の慣性力によって発生する枢軸６ａ回りのモーメントを可及的に小さくするために、重心位置と回転中心とを一致させてあり、板厚方向に等断面形状を有するこの実施の形態において、ロックピース６は、回転中心に対して点対称の断面形状に形成される。
【００１５】
また、ロックピース６は、短辺部が上記錠挿入部２の係止凹部４の曲率にほぼ一致する小判形状を有し、回転姿勢により、一方の短辺部（係止部５）が図４（ａ）に示すように、チェーン挿入孔３内に進入し、あるいは図５（ｂ）の右側に示すように、チェーン挿入孔３から退避することができる位置で軸支される。係止部５がチェーン挿入孔３内に進入する回転位置（係止回転位置）に移動した後、オーバランして再びチェーン挿入孔３から退避するのを防止するために、ハウジングには、ロックピース６のストッパ突起６ｂにオーバラン時にのみ衝接するストッパ壁１０が設けられる。このことにより係止時にはストッパ突起６ｂとストッパ壁１０との間には緩衝領域（ｄ）が設けられることになる。衝撃による力がストッパ壁１０に加わった場合に、前記緩衝領域（ｄ）によりストッパ突起６ｂに直接力が伝わらなくなり、ロックピース６の係止解除回転位置への回転が防止される。上述したように、ロックピース６は回転中心に対して点対称形状に形成され、係止部５に対向する他の短辺部において上記ストッパ突起６ｂに対応するものは、操作突起６ｃとして利用される。
【００１６】
これに対し、係止部５がチェーン挿入孔３から退避するロックピース６の係止解除回転位置側のストローク終端は、図５（ｂ）に示すように、係止部５の側辺が当接するハウジングの解除側ストローク規制壁１１により決定される。
【００１７】
さらに、このロックピース６は、付勢手段１２により係止回転位置側に付勢される。図３（ｂ）に示すように、この実施の形態における付勢手段１２は、ロックピース６の軸部に形成される小判断面部６ｄと、この小判断面部６ｄの平面部６ｅを挟む板ばね１２ａにより形成される。ロックピース６が係止解除回転位置まで回転した場合にも付勢力が発生するように、小判断面部６ｄの平面部６ｅと曲率部６ｆとの境界は、ロックピース６が係止解除回転位置まで回転した場合であっても、板ばね１２ａに当接するように設定される。
【００１８】
図３（ａ）に示すように、同一チェーン挿通線（Ｌｃ）上のロックピース６は、小判断面部６ｄの姿勢を基準に左右勝手違い形状を有しており、ストッパ突起６ｂがチェーン挿入孔３の開口方向を向くように背向し、操作突起６ｃが互いに対向するように配置される。
【００１９】
したがってこの実施の形態において、図３に示すように、チェーン状拘束体１の錠挿入部２がチェーン挿入孔３に挿入されていない状態では、ロックピース６は付勢手段１２により係止回転位置に保持される。プラグ７を施錠回転位置にした状態でチェーン錠拘束体の錠挿入部２をチェーン挿入孔３に挿入すると、図４（ａ）において右側に示すように、ロックピース６は錠挿入部２の先端に押されて係止解除回転位置側に回転し、錠挿入部２をチェーン挿入孔３内に受容する。
【００２０】
この状態では、図４（ｂ）の右側に示すように、ロックピース６は付勢手段１２により係止回転位置側に付勢されており、さらに錠挿入部２を挿入して係止部５の回転軌跡に係止凹部４が合致すると、図４（ａ）の左側に示すように、付勢力によりロックピース６は係止回転位置に復帰し、両者は係止状態に移行する。ロックピース６は、係止回転位置からのオーバランがストッパ壁１０により規制されているために、係止状態で錠挿入部２に抜去方向の荷重を負荷しても、錠挿入部２が抜けることはなく、連結状態が維持される。
【００２１】
この係止状態の解除は、プラグ７を操作して上記駆動部材８を駆動することにより行われる。図２（ｂ）に示すように、駆動部材８は、プラグ７の中心線（Ｃ）に直交する面内で、チェーン挿通線（Ｌｃ）に沿って移動自在なプレート体であり、中心部に開設される長孔８ｂに、プラグ７と一体に回転するカム突部７ｂが挿通される。カム突部７ｂは、プラグ７を双方の解錠回転位置まで回転させたときの回転ストロークの中心がプラグ７の施錠回転位置における位置に合致するように設定される。
【００２２】
また、駆動部材８の移動側両端縁には操作辺８ｃが設定される。操作辺は、図３（ａ）に示すように、プラグ７が施錠回転位置にあるときに、対向する操作突起６ｃ、６ｃの双方に対峙する。この状態から、図５に示すように、プラグ７をいずれか一方の解錠回転位置側に回転させると、図５（ｂ）において右側に示すように、移動先端縁となる駆動部材８の操作辺８ｃが対応する２個のロックピース６の操作突起６ｃを押し付ける。この結果、当該ロックピース６、６は係止解除回転位置側に回転駆動され、このロックピース６により拘束されていた側のチェーン状拘束体１の抜去が可能になる。
【図面の簡単な説明】
【００２３】
【図１】本発明を示す図で、（ａ）はチェーン状拘束体の錠挿入部を示す図、（ｂ）は錠装置にチェーン状拘束体を連結した状態を示す平面図、（ｂ）は正面図である。
【図２】錠装置を示す図で、（ａ）は図１（ｂ）の２Ｂ-２Ｂ線断面図、（ｂ）は外殻部材を取り除いた図２（ａ）の２Ｂ方向矢視図である。
【図３】錠挿入部未挿入状態を示す図で、（ａ）は図２（ｂ）の３Ａ-３Ａ線断面図、（ｂ）は図２（ｂ）の３Ｂ-３Ｂ線断面図である。
【図４】錠挿入部の挿入状態を示す断面図で、（ａ）は図３（ａ）に対応する図、（ｂ）は図３（ｂ）に対応する図である。
【図５】係止解除動作を示す図で、（ａ）は図２（ｂ）に対応する図、（ｂ）は図３（ａ）に対応する図である。
【符号の説明】
【００２４】
１        チェーン状拘束体
２        錠挿入部
３        チェーン挿入孔
４        係止凹部
５        係止部
６        ロックピース
７        プラグ
８        駆動部材
【図１】
2006138173.tif 000003
【図２】
2006138173.tif 000004
【図３】
2006138173.tif 000005
【図４】
2006138173.tif 000006
【図５】
2006138173.tif 000007